(57)【要約】【課題】  ねじ止めによるキャップ部材の回転変位を抑制し、防水性を確保できるキャップ取付構造およびそれを備えた電子機器を提供する。【解決手段】  下部ケース３の開口部１５を開閉可能に塞ぐキャップ部材１０をねじ部材１１によって下部ケース３に取り付ける際に、ねじ部材１１のねじ止めに伴うキャップ部材１０の回転変位を規制する回転止め部２０が、ねじ部材１１の周囲に位置するキャップ部材１０に設けられた傾斜係合部２１と、下部ケース３に設けられてキャップ部材１０の傾斜係合部２１を係止する傾斜係止部２２と、を有している。従って、キャップ部材１０を下部ケース３にねじ部材１１によって取り付ける際に、ねじ部材１１のねじ止めに伴ってキャップ部材１０が回転変位しても、傾斜係合部２１と傾斜係止部２２とを相互に係合させて、ねじ止めに伴うキャップ部材１０の回転変位を規制することができる。【選択図】        図６
2018125558.tif 000002
【特許請求の範囲】
【請求項１】
開口部が設けられたケースと、
前記ケースの前記開口部を開閉可能に塞ぐキャップ部材と、
前記キャップ部材を前記ケースに取り付けるねじ部材と、
前記ねじ部材のねじ止めに伴う前記キャップ部材の回転変位を規制する回転止め部と、
を備え、
前記回転止め部は、前記キャップ部材に設けられた傾斜係合部と、前記ケースに設けられて前記キャップ部材の前記傾斜係合部を係止する傾斜係止部と、を有していることを特徴とするキャップ取付構造。
【請求項２】
請求項１に記載のキャップ取付構造において、前記傾斜係合部は、前記ねじ部材のねじ止めに伴う前記キャップ部材の回転方向に沿って次第に突出する傾斜凸部に形成されていることを特徴とするキャップ取付構造。
【請求項３】
請求項１または請求項２に記載のキャップ取付構造において、前記傾斜係止部は、前記ねじ部材のねじ止めに伴う前記キャップ部材の回転方向に沿って次第に深くなる傾斜凹部に形成されていることを特徴とするキャップ取付構造。
【請求項４】
請求項１〜請求項３のいずれかに記載のキャップ取付構造において、前記キャップ部材は、弾性材料で形成されていることを特徴とするキャップ取付構造。
【請求項５】
請求項４に記載のキャップ取付構造において、前記キャップ部材は、前記ねじ部材が挿入する金属製のワッシャがインサート成型によって埋め込まれていることを特徴とするキャップ取付構造。
【請求項６】
請求項１〜請求項５のいずれかに記載のキャップ取付構造において、前記回転止め部は、前記ねじ部材の取り付け位置を取り巻くように前記ねじ部材の取り付け位置の周囲に複数設けられていることを特徴とするキャップ取付構造。
【請求項７】
請求項１〜請求項６のいずれかに記載されたキャップ取付構造を備えていることを特徴とする電子機器。
【発明の詳細な説明】
【技術分野】
【０００１】
この発明は、携帯端末機や携帯電話機などの各種の電子機器に用いられるキャップ取付構造およびそれを備えた電子機器に関する。
【背景技術】
【０００２】
例えば、携帯電話機においては、特許文献１に記載されているように、機器ケースに設けられた開口部にキャップ部材を着脱可能に取り付けることにより、機器ケースの開口部の防水を図るように構成されたものが知られている。
【先行技術文献】
【特許文献】
【０００３】
【特許文献１】特開２０１２−２５２７９４号公報
【０００４】
このような携帯電話機のキャップ部材は、本体部とヒンジ部とを合成樹脂で形成し、本体部に設けられて機器ケースの開口部に嵌合する嵌合部の外周に弾性材料からなるシール部を設けた構成になっている。このようなキャップ部材では、本体部の嵌合部に弾性材料
からなるシール部を設ける構造であるから、構造が複雑で部品点数が多くなるという問題がある。
【発明の概要】
【発明が解決しようとする課題】
【０００５】
このような問題を解消するために、キャップ部材を弾性材料で形成することが考えられているが、キャップ部材を弾性材料で形成すると、機器ケースの開口部からキャップ部材が外れやすくなる。このため、キャップ部材のヒンジ部をねじ部材によって機器ケースに強固に固定する必要がある。
【０００６】
しかしながら、キャップ部材のヒンジ部を機器ケースにねじ部材によって固定する場合には、ねじ部材のねじ止めに伴ってキャップ部材が弾力的に回転変位するため、防水性を損なう恐れがある。
【０００７】
この発明が解決しようとする課題は、ねじ止めによるキャップ部材の回転変位を抑制し、防水性を確保することができるキャップ取付構造およびそれを備えた電子機器を提供することである。
【課題を解決するための手段】
【０００８】
この発明は、開口部が設けられたケースと、このケースの前記開口部を開閉可能に塞ぐキャップ部材と、このキャップ部材を前記ケースに取り付けるねじ部材と、このねじ部材のねじ止めに伴う前記キャップ部材の回転変位を規制する回転止め部と、を備え、前記回転止め部は、前記キャップ部材に設けられた傾斜係合部と、前記ケースに設けられて前記キャップ部材の前記傾斜係合部を係止する傾斜係止部と、を有していることを特徴とするキャップ取付構造である。
【発明の効果】
【０００９】
この発明によれば、ケースの開口部を塞ぐキャップ部材をケースにねじ部材によって取り付ける際に、ねじ部材のねじ止めに伴ってキャップ部材が回転変位しても、回転止め部の傾斜係合部と傾斜係止部とを相互に係合させることができるので、ねじ部材のねじ止めに伴うキャップ部材の回転変位を確実に規制することができる。このため、ねじ止めによるキャップ部材の回転変位を抑制することができ、防水性を確保することができる。
【図面の簡単な説明】
【００１０】
【図１】この発明を携帯端末機に適用した一実施形態を示した正面図である。
【図２】図１に示された携帯端末機の裏面図である。
【図３】図２に示された携帯端末機の下部ケースからキャップ部材を取り外した状態を示した要部の拡大斜視図である。
【図４】図３に示された下部ケースを内部から見た要部の拡大斜視図である。
【図５】図２に示されたキャップ部材を示した拡大斜視図である。
【図６】図２に示されたキャップ部材のＡ−Ａ矢視における要部を示した拡大断面図である。
【図７】図２に示されたキャップ部材のＢ−Ｂ矢視における要部を示した拡大断面図である。
【発明を実施するための形態】
【００１１】
以下、図１〜図７を参照して、この発明を携帯端末機に適用した一実施形態について説明する。
この携帯端末機は、図１および図２に示すように、前後方向（図１では上下方向）に長い長方形状の機器ケース１を備えている。この機器ケース１は、上部ケース２と下部ケース３とを有し、これらの内部にモジュール（図示せず）が組み込まれるように構成されている。
【００１２】
上部ケース２は、図１に示すように、上面が長方形のほぼ平板状に形成され、その外周の側面部が下部ケース３に取り付けられるように構成されている。この場合、上部ケース２の上面におけるほぼ上辺側半分には、表示窓部４が設けられており、そのほぼ下辺側半分には、キー入力部５が設けられている。
【００１３】
表示窓部４は、図１に示すように、上部ケース２の上面にほぼ長方形状に形成され、上部ケース２内に設けられた表示パネル４ａが対応して配置され、この表示パネルに４ａに表示された情報が上部ケース２の上方から見えるように構成されている。キー入力部５は、テンキー、カーソルキー、ファンクションキーなどの携帯端末機に必要な各種のキーを備えている。
【００１４】
下部ケース３は、図２に示すように、その裏面（図２では紙面の表面）における長手方向に沿う中央部がほぼ平坦状に形成されていると共に、長手方向に沿う両側面部が裏面に向けて円弧状に湾曲して形成され、この側面部の上部（図２では紙面の裏面側に位置する下部）に上部ケース２の側面部の下部が取り付けられるように構成されている。
【００１５】
この下部ケース３の上辺部側に位置する裏面（図２では紙面の表面）には、図２に示すように、光学読取部（図示せず）の読取窓部６が設けられている。この光学読取部は、レーザ光線を下部ケース３の読取窓部６から機器ケース１の外部に出射させ、そのレーザ光線の反射光を受光することにより、物品のバーコードなどを読み取るように構成されている。
【００１６】
また、この下部ケース３の下辺部側には、図２に示すように、電池蓋７が電池収納部（図示せず）を覆って取り付けられている。さらに、この下部ケース３の前後方向（図２では上下方）におけるほぼ中間部に位置する両側部には、スイッチ部８がそれぞれ設けられている。
【００１７】
ところで、これらスイッチ部８の各上辺側に位置する下部ケース３の両側部には、図２および図３に示すように、後述する開口部１５を開閉可能に塞ぐキャップ部材１０が、ねじ部材１１によってそれぞれ取り付けられている。これらキャップ部材１０それぞれは、左右方向の形状が異なる以外は同じ構成になっている。このため、以下の説明では、下部ケース３の一方の側部（図２では右側の側部）に位置するキャップ部材１０について説明する。
【００１８】
このキャップ部材１０は、シリコーン樹脂、ウレタン樹脂、エラストマなどの弾力性を有する合成樹脂で形成されている。このキャップ部材１０は、図２および図５に示すように、キャップ本体部１２と取付片部１３とを有し、これらが一体に形成されている。キャップ本体部１２は、ほぼ四角形状をなし、下部ケース３の側部と同じ形状で湾曲した形状に形成されている。取付片部１３は、キャップ本体部１２の端部に設けられ、下部ケース３の裏面に取り付けられるように構成されている。
【００１９】
この場合、キャップ部材１０は、図２および図３に示すように、下部ケース３の側部から裏面に亘る外周面に設けられたキャップ装着部１４内に配置されるように構成されている。このキャップ装着部１４は、図３に示すように、キャップ本体部１２が装着する本体装着凹部１４ａと、取付片部１３が装着する取付装着凹部１４ｂと、を有し、これらが下部ケース３の側部から裏面に亘る外面に連続して設けられている。
【００２０】
この場合、本体装着凹部１４ａは、図３に示すように、下部ケース３の側部に沿って湾曲して形成されている。この本体装着凹部１４ａには、開口部１５が設けられている。この開口部１５は、下部ケース３の長手方向に沿って長い長方形状に形成されている。この開口部１５は、下部ケース３内に設けられたコネクタ（図示せず）が対応し、このコネクタを外部に露呈させるように構成されている。
【００２１】
ところで、キャップ部材１０のキャップ本体部１２の内面（図５では上面）には、図５に示すように、本体装着凹部１４ａの開口部１５に嵌合する嵌合部１２ａが設けられている。この嵌合部１２ａは、キャップ本体部１２を本体装着凹部１４ａに弾力的に装着させた際に、本体装着凹部１４ａの開口部１５に弾力的に嵌め込まれることにより、開口部１５を密閉するように構成されている。
【００２２】
一方、取付装着凹部１４ｂは、図３に示すように、下部ケース３の側部と裏面との間に位置する外面に設けられている。この取付装置凹部１４ｂ内には、ねじ部材１１が螺着するねじ取付部１６が設けられている。このねじ取付部１６は、図４および図６に示すように、下部ケース３内に向けて円柱状に突出して形成されている。
【００２３】
このねじ取付部１６の中心部には、図３、図４および図６に示すように、ねじ部材１１が挿入するねじ挿入穴１６ａが下部ケース３内に貫通することなく設けられている。このねじ挿入穴１６ａ内の底部には、ねじ部材１１が螺着する金属製のナット１７がインサート成型によって埋め込まれている。このナット１７には、ねじ部材１１が螺合する雌ねじ１７ａが貫通して設けられている、
【００２４】
また、キャップ部材１０の取付片部１３の中心部には、図５および図６に示すように、ねじ取付部１６のねじ挿入穴１６ａと同一軸上に対応するねじ挿入孔１８が貫通して設けられている。このねじ挿入孔１８には、金属製のワッシャ１９がインサート成型によって埋め込まれている。このねじ挿入孔１８は、ねじ部材１１が差し込まれる上部側（図５では下部側）が大径孔部１８ａに形成され、下部ケース３側に位置する下部側が小径孔部１８ｂに形成されている。
【００２５】
この場合、ねじ挿入孔１８の大径孔部１８ａは、図６に示すように、その内径がねじ部材１１の頭部１１ａの外径よりも少し大きく形成され、かつ深さが頭部１１ａの軸方向の長さとほぼ同じ長さで形成されている。また、ねじ挿入孔１８の小径孔部１８ｂは、その内径がねじ部材１１のねじ部１１ｂの外径よりも少し大きく形成されている。
【００２６】
これにより、このねじ挿入孔１８の小径孔部１８ｂは、図６に示すように、その内径がねじ挿入穴１６ａおよびワッシャ１９の孔１９ａとほぼ同じ大きさに形成されている。この場合、ナット１７は、その雌ねじ１７ａがねじ取付部１６のねじ挿入穴１６ａ内に突出した状態で、雌ねじ１７ａの中心軸と、ねじ挿入穴１６ａの中心軸と、小径孔部１８ｂの中心軸とが、すべて一致するように構成されている。
【００２７】
ところで、キャップ部材１０の取付片部１３と、キャップ装着部１４の取付装着凹部１４ｂとには、図６に示すように、ねじ部材１１のねじ止めに伴うキャップ部材１０の回転変位を規制する回転止め部２０が設けられている。この回転止め部２０は、ねじ部材１１の周囲に位置するキャップ部材１０の取付片部１３に設けられた複数の傾斜係合部２１と、下部ケース３の取付装着凹部１４ｂ内に設けられて取付片部１３の複数の傾斜係合部２１を係止する複数の傾斜係止部２２と、を有している。
【００２８】
複数の傾斜係合部２１は、図５〜図７に示すように、キャップ部材１０の取付片部１３の下面（図５では上面）にねじ挿入孔１８の周囲に沿って放射状に設けられている。これら複数の傾斜係合部２１それぞれは、ねじ部材１１のねじ止めに伴うキャップ部材１０の取付片部１３の回転方向に沿って次第に突出する傾斜凸部に形成されている。
【００２９】
また、複数の傾斜係止部２２は、図３、図６、図７に示すように、キャップ装着部１４の取付装着凹部１４ｂ内の底部にねじ挿入穴１６ａの周囲に沿って放射状に設けられている。これら複数の傾斜係止部２２それぞれは、ねじ部材１１のねじ止めに伴うキャップ部材１０の取付片部１３の回転方向に沿って次第に深くなる傾斜凹部に形成されている。
【００３０】
これにより、回転止め部２０は、図３、図５〜図７に示すように、キャップ部材１０がキャップ装着部１４に装着されて、キャップ部材１０の嵌合部１２ａが本体装着凹部１４ａの開口部１５に弾力的に嵌め込まれた際に、取付片部１３のねじ挿入孔１８が取付装着凹部１４ｂのねじ挿入穴１６ａに対応した状態で、複数の傾斜係合部２１が複数の傾斜係止部２２にそれぞれ係合するように構成されている。
【００３１】
また、この回転止め部２０は、図３、図５〜図７に示すように、複数の傾斜係合部２１が複数の傾斜係止部２２にそれぞれ係合した状態で、ねじ部材１１を取付片部１３のねじ挿入孔１８から取付装着凹部１４ｂのねじ挿入穴１６ａに挿入させて、ナット１７の雌ねじ１７ａに螺合させて締め付けた際に、ねじ部材１１のねじ止めに伴って取付片部１３が回転変位すると、複数の傾斜係合部２１が複数の傾斜係止部２２に徐々に食い込んで、取付片部１３の回転変位を規制するように構成されている。
【００３２】
次に、このような携帯端末機の作用について説明する。
まず、機器ケース１の下部ケース３に設けられたキャップ装着部１４にキャップ部材１０を取り付ける場合について説明する。このときには、キャップ装着部１４の本体装着凹部１４ａにキャップ部材１０のキャップ本体部１２を装着して、このキャップ本体部１２の嵌合部１２ａを本体装着凹部１４ａの開口部１５に嵌め込む。
【００３３】
これと同時に、キャップ装着部１４の取付装着凹部１４ｂにキャップ部材１０の取付片部１３を装着する。すると、取付片部１３のねじ挿入孔１８が取付装着凹部１４ｂのねじ挿入穴１６ａに同一軸上で対応すると共に、取付片部１３の内面に設けられた複数の傾斜係合部２１が取付装着凹部１４ｂ内の底部に設けられた複数の傾斜係止部２２にそれぞれ係合する。
【００３４】
この状態で、ねじ部材１１のねじ部１１ｂを取付片部１３のねじ挿入孔１８からワッシャ１９の孔１９ａを経て取付装着凹部１４ｂのねじ挿入穴１６ａに挿入させ、この挿入したねじ部材１１のねじ部１１ｂをねじ挿入穴１６ａ内に埋め込まれたナット１７の雌ねじ１７ａに螺入させる。このときには、ねじ部材１１の頭部１１ａが取付片部１３のねじ挿入孔１８の大径孔部１８ａに挿入された状態で、頭部１１ａがねじ挿入孔１８に埋め込まれたワッシャ１９に当接する。
【００３５】
この状態で、ねじ部材１１の頭部１１ａを締め込むと、頭部１１ａがねじ挿入孔１８内のワッシャ１９に圧接することにより、ねじ部材１１の締め付けに伴って取付片部１３がねじ部材１１の回転方向に変位する。このときには、取付片部１３に設けられた複数の傾斜係合部２１が、取付装着凹部１４ｂ内に設けられた複数の傾斜係止部２２に相互に係合して徐々に食い込み、ねじ部材１１の締め付けに伴う取付片部１３の回転変位が規制される。
【００３６】
すなわち、複数の傾斜係合部２１は、ねじ部材１１のねじ止めに伴うキャップ部材１０の取付片部１３の回転方向に沿って次第に突出する傾斜凸部に形成されており、複数の傾斜係止部２２は、ねじ部材１１のねじ止めに伴うキャップ部材１０の取付片部１３の回転方向に沿って次第に深くなる傾斜凹部に形成されている。
【００３７】
これにより、ねじ部材１１の締め付けに伴って取付片部１３がねじ部材１１の回転方向に変位すると、複数の傾斜係合部２１が複数の傾斜係止部２２に沿って徐々に食い込む。このため、ねじ部材１１の締め付けに伴う取付片部１３の回転変位が規制されるこれにより、ねじ部材１１が締め付けられた際には、キャップ部材１０の取付片部１３が弾力性を有する材料で形成されていても、取付片部１３がねじ部材１１の締め付けに伴う回転方向への変位が抑制される。
【００３８】
この場合、ねじ部材１１を締め付けた際に、ワッシャ１９によってねじ部材１１の頭部１１ａが取付片部１３に必要以上に食い込むことがないので、ねじ部材１１の頭部によってワッシャ１９をキャップ部材１０の取付片部１３に確実に押し付けることができる。これにより、ねじ部材１１によってキャップ部材１０の取付片部１３をキャップ装着部１４内に確実にかつ良好に押し付けて取り付けることができる。
【００３９】
このため、キャップ部材１０の取付片部１３をキャップ装着部１４の取付装着凹部１４ｂ内に弾力的に良好に装着させることができると共に、キャップ本体部１２を装着本体凹部１４ａ内に弾力的に良好に装着させて、キャップ本体部１２の嵌合部１２ａを装着本体凹部１４ａの開口部１５に確実にかつ良好に嵌着させることができ、これにより開口部１５を確実に密閉することができる。
【００４０】
また、このように、キャップ部材１０がキャップ装着部１４に装着された状態では、キャップ部材１０がシリコーン樹脂、ウレタン樹脂、エラストマなどの弾性材料で形成されていることにより、キャップ部材１０のキャップ本体部１２をキャップ装着部１４の装着本体凹部１４ａ内から引き出す際に、キャップ部材１０の取付片部１３を弾力的に折り曲げることができるので、キャップ部材１０を下部ケース３から取り外すことなく、装着本体凹部１４ａの開口部１５を簡単にかつ容易に開放させることができる。
【００４１】
これにより、開放された開口部１５を通して機器ケース１の下部ケース３内に設けられたコネクタ（図示せず）を露出させることができるので、キャップ部材１０をキャップ装着部１４から取り外さなくても、露出したコネクタに接続部材（図示せず）を接続することにより、機器ケース１と外部機器（図示せず）とを電気的に接続することができる。
【００４２】
また、キャップ部材１０をキャップ装着部１４から取り外す場合には、ねじ部材１１を、取付装着凹部１４ｂのねじ挿入穴１６ａ内に埋め込まれたナット１７から取り外して、取付片部１３のねじ挿入孔１８から抜き出す。この状態で、キャップ部材１０をキャップ装着部１４から取り出すことにより、簡単にキャップ部材１０をキャップ装着部１４から取り外すことができる。
【００４３】
このように、この携帯端末機によれば、下部ケース３の開口部１５を開閉可能に塞ぐキャップ部材１０と、このキャップ部材１０を下部ケース３に取り付けるねじ部材１１と、このねじ部材１１のねじ止めに伴うキャップ部材１０の回転変位を規制する回転止め部２０と、を備え、この回転止め部２０が、ねじ部材１１の周囲に位置するキャップ部材１０に設けられた傾斜係合部２１と、下部ケース３に設けられてキャップ部材１０の傾斜係合部２１を係止する傾斜係止部２２とを有していることにより、ねじ止めによるキャップ部材１０の回転変位を抑制し、防水性を確保することができる。
【００４４】
すなわち、この携帯端末機では、下部ケース３の開口部１５を塞ぐキャップ部材１０を下部ケース３にねじ部材１１によって取り付ける際に、ねじ部材１１のねじ止めに伴ってキャップ部材１０が回転変位しても、回転止め部２０の傾斜係合部２１と傾斜係止部２２とを相互に係合させることができるので、ねじ部材１１のねじ止めに伴うキャップ部材１０の回転変位を確実に規制することができる。
【００４５】
これにより、この携帯端末機では、ねじ部材１１のねじ止めによるキャップ部材１０の回転変位を抑制することができ、開口部１５を確実に密閉して防水性を確保することができる。このため、製品としての携帯端末機の防水性に対する品質を安定化することできると共に、歩留まりの向上を図ることができ、製品としての携帯端末機の品質を向上させることができる。
【００４６】
この場合、キャップ部材１０は、キャップ本体部１２と取付片部１３とを有し、下部ケース３の外周面には、キャップ部材１０が装着するキャップ装着部１４が設けられ、このキャップ装着部１４は、本体装着部凹部１４ａと取付装着凹部１４ｂとを有し、本体装着部凹部１４ａに開口部１５が設けられていることにより、キャップ部材１０を下部ケース３のキャップ装着部１４に外部から装着するだけで、簡単にキャップ装着部１４の開口部１５を塞ぐことができ、これにより機器全体の防水を図ることができる。
【００４７】
すなわち、キャップ部材１０をキャップ装着部１４に装着した際には、キャップ本体部１２が本体装着部凹部１４ａに装着し、取付片部１３が取付装着凹部１４ｂに装着し、この状態でキャップ本体部１２に設けられた嵌合部１２ａがキャップ装着部１４の開口部１５に嵌着するので、キャップ部材１０を下部ケース３に確実かつ良好に取り付けることができると共に、キャップ部材１０によってキャップ装着部１４の開口部１５を確実にかつ良好に塞ぐことができ、これにより機器全体の防水を図ることができる。
【００４８】
また、回転止め部２０の傾斜係合部２１は、ねじ部材１１のねじ止めに伴うキャップ部材１０の回転方向に沿って次第に突出する傾斜凸部に形成されていることにより、ねじ部材１１を締め付けてキャップ部材１０の取付片部１３をキャップ装着部１４の取付装着凹部１４ｂに取り付ける際に、ねじ部材１１の締め付けに伴って取付片部１３がねじ部材１１の回転方向に変位すると、傾斜係合部２１が傾斜係止部２２に圧接する圧接力を徐々に高めることができ、これによりねじ部材１１の締め付けに伴う取付片部１３の回転を確実に規制して抑制することができる。
【００４９】
また、回転止め部２０の傾斜係止部２２は、ねじ部材１１のねじ止めに伴うキャップ部材１０の回転方向に沿って次第に深くなる傾斜凹部に形成されていることにより、ねじ部材１１を締め付けてキャップ部材１０の取付片部１３をキャップ装着部１４の取付装着凹部１４ｂに取り付ける際に、ねじ部材１１の締め付けに伴って取付片部１３がねじ部材１１の回転方向に変位すると、傾斜係合部２１を傾斜係止部２２に圧接させながら徐々に食い込ませることができ、これによってもねじ部材１１の締め付けに伴う取付片部１３の回転を確実に規制して抑制することができる。
【００５０】
この場合、傾斜係合部２１は、キャップ部材１０の取付片部１３の下面にねじ挿入孔１８の周囲に沿って放射状に設けられており、傾斜係止部２２は、キャップ装着部１４の取付装着凹部１４ｂ内の底部にねじ挿入穴１６ａの周囲に沿って放射状に設けられていることにより、ねじ部材１１の締め付けに伴って取付片部１３がねじ部材１１の回転方向に変位する際に、複数の傾斜係合部２１を複数の傾斜係止部２２にそれぞれ係合させることができるので、ねじ部材１１の締め付けに伴う取付片部１３の回転を、より一層、確実に規制して抑制することができる。
【００５１】
また、キャップ部材１０は、シリコーン樹脂、ウレタン樹脂、エラストマなどの弾性材料で形成されていることにより、下部ケース３の開口部１５を弾力的に確実に塞ぐことができる。すなわち、キャップ部材１０を下部ケース３のキャップ装着部１４に弾力的に装着することができるので、簡単にかつ確実にキャップ装着部１４の開口部１５を塞いで密閉することができ、これにより機器の防水性を確保することができる。
【００５２】
この場合、キャップ部材１０をキャップ装着部１４に装着する際には、キャップ本体部１２を本体装着部凹部１４ａに弾力的に装着させることができ、取付片部１３を取付装着凹部１４ｂに弾力的に装着させることができ、この状態でキャップ本体部１２に設けられた嵌合部１２ａをキャップ装着部１４の開口部１５に弾力的に嵌着させることができる。このため、キャップ部材１０を下部ケース３のキャップ装着部１４に確実かつ良好に装着することができる。
【００５３】
また、キャップ部材１０は、ねじ部材１１が挿入する金属製のワッシャ１９がインサート成型によって埋め込まれた構成であるから、ねじ部材１１によってキャップ部材１０を下部ケース３に取り付ける際に、ねじ部材１１の頭部１１ａをワッシャ１９に押し当てることができる。このため、キャップ部材１０がシリコーン樹脂、ウレタン樹脂、エラストマなどの弾性材料で形成されていても、ねじ部材１１によってキャップ部材１０を下部ケース３に確実にかつ良好に取り付けることができる。
【００５４】
すなわち、ワッシャ１９は、キャップ部材１０の取付片部１３に設けられたねじ挿入孔１８内における大径孔部１８ａと小径孔部１８ｂとの境界部に埋め込まれ、ねじ挿入孔１８の大径孔部１８ａにねじ部材１１の頭部１１ａが挿入する構成であるから、ねじ部材１１の頭部１１ａをねじ挿入孔１８の大径孔部１８ａに挿入させて、ねじ部材１１を締め付けた際に、ねじ部材１１の頭部１１ａによってワッシャ１９を押し付けることができ、このワッシャ１９によってキャップ部材１０を下部ケース３に確実にかつ良好に取り付けることができる。
【００５５】
また、下部ケース３のねじ取付部１６に設けられたねじ挿入穴１６ａ内の底部には、ねじ部材１１が螺合する金属製のナット１７がインサート成型によって埋め込まれているので、下部ケース３が合成樹脂で形成されていても、ねじ部材１１をナット１７の雌ねじ１７ａに強く締め付けることができるので、キャップ部材１０を下部ケース３に強固に取り付けることができる。
【００５６】
なお、上述した実施形態では、傾斜係合部２１をねじ部材１１のねじ止めに伴うキャップ部材１０の取付片部１３の回転方向に沿って次第に突出する傾斜凸部に形成し、傾斜係止部２２をねじ部材１１のねじ止めに伴うキャップ部材１０の取付片部１３の回転方向に沿って次第に深くなる傾斜凹部に形成した場合について述べたが、これに限らず、傾斜係合部２１をねじ部材１１のねじ止めに伴うキャップ部材１０の取付片部１３の回転方向に沿って次第に深くなる傾斜凹部に形成し、傾斜係止部２２をねじ部材１１のねじ止めに伴うキャップ部材１０の取付片部１３の回転方向に沿って次第に突出する傾斜凸部に形成した構成であっても良い。
【００５７】
また、上述した実施形態では、携帯端末機に適用した場合について述べたが、必ずしも携帯端末機である必要はなく、例えば携帯電話機や携帯型の情報処理装置などの各種の電子機器に広く適用することができる。
【００５８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５９】
（付記）
請求項１に記載の発明は、開口部が設けられたケースと、前記ケースの前記開口部を開閉可能に塞ぐキャップ部材と、前記キャップ部材を前記ケースに取り付けるねじ部材と、前記ねじ部材のねじ止めに伴う前記キャップ部材の回転変位を規制する回転止め部と、を備え、前記回転止め部は、前記キャップ部材に設けられた傾斜係合部と、前記ケースに設けられて前記キャップ部材の前記傾斜係合部を係止する傾斜係止部と、を有していることを特徴とするキャップ取付構造である。
【００６０】
請求項２に記載の発明は、請求項１に記載のキャップ取付構造において、前記傾斜係合部は、前記ねじ部材のねじ止めに伴う前記キャップ部材の回転方向に沿って次第に突出する傾斜凸部に形成されていることを特徴とするキャップ取付構造である。
【００６１】
請求項３に記載の発明は、請求項１または請求項２に記載のキャップ取付構造において、前記傾斜係止部は、前記ねじ部材のねじ止めに伴う前記キャップ部材の回転方向に沿って次第に深くなる傾斜凹部に形成されていることを特徴とするキャップ取付構造である。
【００６２】
請求項４に記載の発明は、請求項１〜請求項３のいずれかに記載のキャップ取付構造において、前記キャップ部材は、弾性材料で形成されていることを特徴とするキャップ取付構造である。
【００６３】
請求項５に記載の発明は、請求項４に記載のキャップ取付構造において、前記キャップ部材は、前記ねじ部材が挿入する金属製のワッシャがインサート成型によって埋め込まれていることを特徴とするキャップ取付構造である。
【００６４】
請求項６に記載の発明は、請求項１〜請求項５のいずれかに記載のキャップ取付構造において、前記回転止め部は、前記ねじ部材の取り付け位置を取り巻くように前記ねじ部材の取り付け位置の周囲に複数設けられていることを特徴とするキャップ取付構造である。
【００６５】
請求項７に記載の発明は、請求項１〜請求項６のいずれかに記載されたキャップ取付構造を備えていることを特徴とする電子機器である。
【符号の説明】
【００６６】
１  機器ケース
２  上部ケース
３  下部ケース
１０  キャップ部材
１１  ねじ部材
１１ａ  頭部
１１ｂ  ねじ部
１２  キャップ本体部
１２ａ  嵌合部
１３  取付片部
１４  キャップ装着部
１５  開口部
１６  ねじ取付部
１６ａ  ねじ挿入穴
１７  ナット
１８  ねじ挿入孔
１９  ワッシャ
２０  回転止め部
２１  傾斜係合部
２２  傾斜係止部
【図１】
2018125558.tif 000003
【図２】
2018125558.tif 000004
【図３】
2018125558.tif 000005
【図４】
2018125558.tif 000006
【図５】
2018125558.tif 000007
【図６】
2018125558.tif 000008
【図７】
2018125558.tif 000009
【手続補正書】
【提出日】平成30年5月9日(2018.5.9)
【手続補正２】
【補正対象書類名】明細書
【補正対象項目名】０００１
【補正方法】変更
【補正の内容】
【０００１】
この発明は、取付構造及び電子機器に関する。
【手続補正３】
【補正対象書類名】明細書
【補正対象項目名】０００７
【補正方法】変更
【補正の内容】
【０００７】
この発明が解決しようとする課題は、ねじ止めによる取付部材の回転変位を抑制することである。
【手続補正４】
【補正対象書類名】明細書
【補正対象項目名】０００８
【補正方法】変更
【補正の内容】
【０００８】
この発明に係る取付構造は、ねじ挿入穴が設けられたケースと、ねじ挿入孔が設けられているとともに、所定のねじ部材による前記ねじ挿入孔を介した前記ねじ挿入穴へのねじ止めによって前記ケースに取り付けられる取付部材と、前記ねじ止めに伴う前記取付部材の回転変位を規制する回転止め部と、を備え、前記回転止め部は、前記取付部材における前記ケースとの接触面側で且つ前記ねじ挿入孔の周囲に設けられた複数の係合部と、前記ケースにおける前記取付部材との接触面側で且つ前記ねじ挿入穴の周囲に設けられた複数の係止部と、を有している、ことを特徴とする。
また、この発明に係る電子機器は、ねじ挿入穴が設けられたケースと、ねじ挿入孔が設けられているとともに、所定のねじ部材による前記ねじ挿入孔を介した前記ねじ挿入穴へのねじ止めによって前記ケースに取り付けられる取付部材と、前記ねじ止めに伴う前記取付部材の回転変位を規制する回転止め部と、を備え、前記回転止め部は、前記取付部材における前記ケースとの接触面側で且つ前記ねじ挿入孔の周囲に設けられた複数の係合部と、前記ケースにおける前記取付部材との接触面側で且つ前記ねじ挿入穴の周囲に設けられた複数の係止部と、を有している、ことを特徴とする。
【手続補正５】
【補正対象書類名】明細書
【補正対象項目名】０００９
【補正方法】変更
【補正の内容】
【０００９】
この発明によれば、ねじ止めによる取付部材の回転変位を抑制することができる。
【手続補正６】
【補正対象書類名】特許請求の範囲
【補正対象項目名】全文
【補正方法】変更
【補正の内容】
【特許請求の範囲】
【請求項１】
ねじ挿入穴が設けられたケースと、
ねじ挿入孔が設けられているとともに、所定のねじ部材による前記ねじ挿入孔を介した前記ねじ挿入穴へのねじ止めによって前記ケースに取り付けられる取付部材と、
前記ねじ止めに伴う前記取付部材の回転変位を規制する回転止め部と、
を備え、
前記回転止め部は、前記取付部材における前記ケースとの接触面側で且つ前記ねじ挿入孔の周囲に設けられた複数の係合部と、前記ケースにおける前記取付部材との接触面側で且つ前記ねじ挿入穴の周囲に設けられた複数の係止部と、を有している、
ことを特徴とする取付構造。
【請求項２】
前記複数の係合部のそれぞれは、前記ねじ挿入孔を中心にした回転方向に沿って突出高さが次第に高くなる傾斜凸部として形成されている、
ことを特徴とする請求項１に記載の取付構造。
【請求項３】
前記複数の係合部のそれぞれは、前記回転方向に隣接する係合部間の距離が互いに等しくなるように配置されている、
ことを特徴とする請求項１または２に記載の取付構造。
【請求項４】
前記複数の係止部のそれぞれは、前記ねじ挿入穴を中心にした回転方向に沿って陥没深さが次第に深くなる傾斜凹部として形成されている、
ことを特徴とする請求項１から３の何れかに記載の取付構造。
【請求項５】
前記複数の係止部のそれぞれは、前記回転方向に隣接する係止部間の距離が互いに等しくなるように配置されている、
ことを特徴とする請求項１から４の何れかに記載の取付構造。
【請求項６】
前記ねじ挿入孔は、前記複数の係合部に取り囲まれるように設けられている、
ことを特徴とする請求項１から５の何れかに記載の取付構造。
【請求項７】
前記ねじ挿入穴は、前記複数の係止部に取り囲まれるように設けられている、
ことを特徴とする請求項１から６の何れかに記載の取付構造。
【請求項８】
前記取付部材は、前記ねじ部材が挿入する金属製のワッシャがインサート成型によって埋め込まれている、
ことを特徴とする請求項１から７の何れかに記載の取付構造。
【請求項９】
ねじ挿入穴が設けられたケースと、
ねじ挿入孔が設けられているとともに、所定のねじ部材による前記ねじ挿入孔を介した前記ねじ挿入穴へのねじ止めによって前記ケースに取り付けられる取付部材と、
前記ねじ止めに伴う前記取付部材の回転変位を規制する回転止め部と、
を備え、
前記回転止め部は、前記取付部材における前記ケースとの接触面側で且つ前記ねじ挿入孔の周囲に設けられた複数の係合部と、前記ケースにおける前記取付部材との接触面側で且つ前記ねじ挿入穴の周囲に設けられた複数の係止部と、を有している、
ことを特徴とする電子機器。